(57)【要約】【課題】就寝時にもカバーが滑りにくく皺の発生が少ない、取り扱いの容易なマットレスカバーと、それを用いた、カバーに皺の発生し難いマットレスを提供する。【解決手段】少なくとも一方面の生地に、３層構造のキルトが用いられたマットレスカバー１であって、キルトは、外側に位置する第１の生地（表地１Ａ）と、マットレスコア３に隣接する内側の第２の生地（裏地１Ｃ）と、第１の生地と第２の生地との間に充填された保温材（中わた１Ｂ）とを含み、第２の生地は、マットレスコア３側の内側面が、表面に起毛加工が施された滑り防止面であり、保温材側の外側面が、表面に気密加工が施された通気性調整面であることを特徴とする。【選択図】図２
2018075106.tif 000002
【特許請求の範囲】
【請求項１】
マットレス用のコアの表面を被覆するとともに、少なくとも一方面の生地に、３層構造のキルトが用いられたマットレスカバーであって、
前記キルトは、
外側に位置する第１の生地と、
マットレスコアに隣接する内側の第２の生地と、
前記第１の生地と前記第２の生地との間に充填された保温材と、を含み、
前記第２の生地は、マットレスコア側の内側面が、表面に起毛加工が施された滑り防止面であり、保温材側の外側面が、表面に気密加工が施された通気性調整面であることを特徴とするマットレスカバー。
【請求項２】
ＪＩＳ  Ｌ  １０９６  「織物及び編物の生地試験方法」のSS８．２６．１「通気性」に記載のフラジール形法に準じた通気性（通過空気量）の測定において、
前記第２の生地の通過空気量が０．５〜２０ｃｍ３／ｃｍ２・秒であることを特徴とする請求項１に記載のマットレスカバー。
【請求項３】
前記第２の生地の通気性調整面の気密加工が、シレー加工または樹脂コーティングであることを特徴とする請求項１または２に記載のマットレスカバー。
【請求項４】
溶融熱可塑性樹脂からなるフィラメントどうしを３次元ネット状に結合させたフィラメント３次元結合体からなるマットレスコアと、
前記マットレスコアの表面を覆うメッシュ状のカバーと、
前記メッシュ状のカバーを覆う、請求項１〜３のいずれかに記載のマットレスカバーと、を備えるマットレス。
【発明の詳細な説明】
【技術分野】
【０００１】
本発明は、マットレスを覆うカバーと、このカバーとマットレスコアとからなるマットレスに関する。
【背景技術】
【０００２】
熱可塑性樹脂からなるフィラメントを３次元的に融着結合させて得られるフィラメント３次元結合体を用いた高反発のベッド用マットレスおよびマットレスパッドが、注目されてきている。このマットレスは、体圧分散性に優れ、寝返りがし易く、汚れても水洗いできるといった特徴がある。
【０００３】
上記のようなベッド用のマットレスおよびマットレスパッドは、その芯材（マットレスコア）だけで使用されることは少なく、通常、汚れ等の付着の防止の他、風合い（触感）の改善や保温性の向上のために、図６に示すようなマットレスカバーをかけて使用される（特許文献１を参照）。
【０００４】
前述のようなフィラメント３次元結合体をマットレスコアに採用したマットレスにおいても、ベッド用のマットレスとして使用する際は、マットレスコアの周囲を、まず、繊維径２００ｄｔｅｘ以下の糸で編んだメッシュ状のカバー（以下、メッシュカバー）で覆い、さらにその外側に、通気性が良く、風合いの良いキルト生地等で形成された保温用のカバー（マットレスカバー）を被せて、使用している。
【０００５】
この構成により、前記フィラメント３次元結合体を用いたマットレスは、通気性を損なうことなく、フィラメント形状の凹凸に起因する凹凸感の少ない寝心地を得ている。また、就寝中に室内の気温や湿度が変動しても、マットレスは、蒸れにくく温かい寝心地を保つことができるようになっている。
【０００６】
なお、マットレスカバーは、通常、図６に示すような、マットレスコアを覆う６面体の場合が多く、織布や不織布等の通気性を有する生地を、袋状に縫い合わせて構成されている。マットレスの側面や裏面等、人と接する上面以外部分には、該マットレスカバーを着脱するための開口と、この開口を密封するスライドファスナーＳＦ等が配設されている。また、マットレスカバーには、マットレスコアの上に載置するものや、裏面がなく、カバーの側面生地の下端をマットレスコアの下側に押し込んで固定するタイプのものもある（特許文献２等を参照）。
【先行技術文献】
【特許文献】
【０００７】
【特許文献１】特表２００１−５１９６８９号公報
【特許文献２】特開２００２−２８０６１号公報
【発明の概要】
【発明が解決しようとする課題】
【０００８】
ところで、メッシュカバーで覆われたマットレスコア（フィラメント３次元結合体）の周囲をマットレスカバーで覆うと、保温性や風合いは向上するものの、以下のような問題が発生する場合がある。
【０００９】
すなわち、糸密度が高く気密性（保温性）の高いキルト生地等からなるマットレスカバーを使用すると、その内側のメッシュカバーとの間の摩擦が少なく、寝返りを繰り返すうちに、マットレスカバーがメッシュカバーの表面で滑ってしまい、外側のマットレスカバー（キルト）が幅方向左右に偏ったり、マットレスカバーに皺が発生したりして、寝心地が悪くなる場合がある。
【００１０】
また、前記メッシュカバーとの間の滑りを抑えるために、トリコット生地や、パイル構造を有する生地等、表面に凹凸があり摩擦係数の高い生地を用いると、通気性が上がるため、マットレスコア側（ベッド下側）に暖かい空気が逃げて、保温性が低下してしまう。
【００１１】
そこで、繊維径２００ｄｔｅｘ以下の糸で編んだメッシュ状のカバーに対する摩擦力を高めるために１ｍｍ以上の突起が形成されるように、たとえば多数の繊維突起を有する８０ｄｔｅｘ以上の太糸で編まれたパイル生地と気密性の高い生地とを縫い合わせた（積層した）生地を、マットレスコア側の内側の生地に使用し、滑り防止と保温性の両立を図る方法も考えられる。しかしながら、しかしながら、前記多数の繊維突起を有する太糸で編まれたパイル生地を積層したマットレスカバーは、柔軟性が低下するため、カバーの取り外しが面倒になったり、取り外した後の洗濯や乾燥等に時間がかかるといった問題が生じるおそれがある。
【００１２】
本発明は、就寝時にもカバーが滑りにくく皺の発生が少ない、取り扱いの容易なマットレスカバーと、それを用いた、カバーに皺の発生し難いマットレスの提供を目的とする。
【課題を解決するための手段】
【００１３】
本発明のマットレスカバーは、マットレス用のコアの表面を被覆するとともに、少なくとも一方面の生地に、３層構造のキルトが用いられたマットレスカバーであって、
前記キルトは、外側に位置する第１の生地と、マットレスコアに隣接する内側の第２の生地と、前記第１の生地と前記第２の生地との間に充填された保温材と、を含み、
前記第２の生地は、マットレスコア側の内側面が、表面に起毛加工が施された滑り防止面であり、保温材側の外側面が、表面に気密加工が施された通気性調整面であることを特徴とする。
【００１４】
また、本発明のマットレスカバーは、ＪＩＳ  Ｌ  １０９６  「織物及び編物の生地試験方法」のSS８．２６．１「通気性」に記載のフラジール形法に準じた通気性（通過空気量）の測定において、前記第２の生地の通過空気量が０．５〜２０ｃｍ３／ｃｍ２・秒であることを特徴とする。
【００１５】
さらに、本発明のマットレスカバーは、前記第２の生地の通気性調整面の気密加工が、シレー加工または樹脂コーティングであることを特徴とする。
【００１６】
一方、本発明のマットレスは、溶融熱可塑性樹脂からなるフィラメントどうしを３次元ネット状に結合させたフィラメント３次元結合体からなるマットレスコアと、前記マットレスコアの表面を覆うメッシュ状のカバーと、前記メッシュ状のカバーを覆う、請求項１〜３のいずれかに記載のマットレスカバーと、を備えるマットレスである。
【発明の効果】
【００１７】
本発明のマットレスカバーは、マットレスコア（およびメッシュ状のカバー）に隣接する、内側の第２の生地の内側面（下側面）が、起毛加工された滑り防止面に、中わた等の保温材に隣接する外側面（上側面）が、気密加工された通気性調整面になっているため、マットレスコアおよびメッシュ状カバーとの間の滑り防止と、保温性（気密性）の向上とを、１枚の生地（第２の生地）で両立できる。したがって、本発明のマットレスカバーは、就寝時の寝返り等のよる皺の発生防止することができる。また、カバー自体が厚くなることなく、軽量で取り扱いが容易になる。
【００１８】
また、本発明のマットレスカバーのなかでも、ＪＩＳ  Ｌ  １０９６準拠の通気性（通過空気量）の測定において、前記第２の生地の通過空気量が０．５〜２０ｃｍ３／ｃｍ２・秒であるものは、保温材に隣接する、第２の生地の通気性が適度に調整されているので、マットレスコア方向（ベッドの下方向）への空気の流出が少なく、カバーの断熱性（保温性）がより向上する。
【００１９】
また、本発明のマットレスカバーのなかでも特に、前記第２の生地の通気性調整面の気密加工が、シレー加工または樹脂コーティングであるものは、上側（就寝者側）第２の生地の外側面の通気性を、簡単な処理により、適切に制御することができる。
【００２０】
一方、本発明のマットレスは、上述のような構成のマットレスカバーを使用しているため、就寝中にも、カバー上に皺の発生し難いマットレスとすることができる。
【図面の簡単な説明】
【００２１】
【図１】本発明の第１実施形態のマットレスおよびマットレスカバーの（ａ）外観斜視図と、（ｂ）模式的断面図である。
【図２】第１実施形態のマットレスカバーの上部の拡大断面図である。
【図３】本発明の第２実施形態のマットレスおよびマットレスカバーの外観斜視図である。
【図４】フィラメント３次元結合体製造装置の概略構成図である。
【図５】フィラメント３次元結合体製造装置の要部構成を拡大して示す説明図である。
【図６】従来のマットレスカバーの外観斜視図である。
【発明を実施するための形態】
【００２２】
図１（ａ）は、本発明の第１実施形態におけるベッド用マットレスの外観斜視図であり、図１（ｂ）は、マットレスの内部構造を説明する模式的断面図である。また、図２は、マットレス上部のマットレスカバー部分の拡大図であるなお、図示した各層および各生地は、その厚みを強調して描いている。
【００２３】
本実施形態のベッド用のマットレス１０は、図１（ａ）の外観斜視図に示すように、その６面全てが第１実施形態のマットレスカバー１で覆われたものであり、図示の状態でベッド等の上に載置されて使用される。なお、マットレス１０は、上下（天地）のみ使用時の方向が限定されるが、ここでは便宜的に、使用者（就寝者）の就寝面となる上面（天面）を１１、ベッドや床面，畳面等に接する下面（底面）を１２、就寝者の身長方向に沿ったマットレス長手方向側面を１３，１４、および、前記身長方向に直交するマットレス短手方向（幅方向）側面を１５，１６として説明する。
【００２４】
マットレスカバー１は、厚手のキルト（生地）からなる上面１１と、下面１２および各側面１３，１４，１５，１６に配置された生地とを縫い合わせて、袋状に構成されており、側面の一部に、図示しないカバー着脱用の開口と開口を密封するためのスライドファスナー（図６参照）等を備える。
【００２５】
マットレス１０は、図１（ｂ）に示すように、厚手のマットレス芯材（マットレスコア３）を中心として、その周囲を覆うメッシュ状のカバー（メッシュカバー２）と、さらにそのメッシュカバー２の周囲を覆う、外装としてのマットレスカバー１と、から構成されている。マットレスコア３には、フィラメント３次元結合体〔３ＤＦ（３−ｄｉｍｅｎｓｉｏｎａｌ  ｆｉｌａｍｅｎｔｓ−ｌｉｎｋｅｄ  ｓｔｒｕｃｔｕｒｅ）〕が用いられている。
【００２６】
マットレスコア３を覆うメッシュカバー２は、直径が３ｍｍの空孔が規則的に形成された、厚さ３ｍｍのダブルラッセル生地からなる。このダブルラッセル生地は、たとえば繊維径８４ｄｔｅｘのポリエステル糸を用いて編まれたもので、マットレスコア３を収容できるサイズに形成されている。
【００２７】
マットレスカバー１は、上面（天面）１１が、表地（１Ａ）と裏地（１Ｃ）と中わた（１Ｂ）とからなる３層構造のキルト（キルト生地）で構成されている。なお、上面（天面）１１以外の、就寝者があまり触れることのない下面（底面）１２や側面１３，１４，１５，１６は、図示のように中わた（１Ｂ）が省略されていてもよい。
【００２８】
本実施形態のマットレスカバー１の特徴は、マットレスの使用者（就寝者）が最も触れる機会の多い上面１１に、通気性の高い第１の生地（表地１Ａ）と、マットレスコアに隣接する内側の第２の生地（裏地１Ｃ）と、各生地の間に充填されてこれらの間の断熱を担う保温材（中わた１Ｂ）と、からなるキルト（キルト生地）が用いられており、前記第２の生地（裏地１Ｃ）は、マットレスコア３側の内側面１ｅが、表面に起毛加工が施された滑り防止面であり、保温材（中わた１Ｂ）側の外側面１ｄが、表面に気密加工が施された通気性調整面になっている点である。なお、上記３層構造の生地（キルト）は、上面（天面）１１以外の、下面（底面）１２や側面１３，１４，１５，１６に適用してもよい。
【００２９】
前記３層構造のキルトについて詳しく説明すると、マットレスカバー１を構成するキルトは、図２の拡大断面図に示すように、就寝者に触れる外側（表側）に位置する表地１Ａと、マットレスコア３およびメッシュカバー２に隣接する内側に位置する裏地１Ｃと、各生地の間に充填された中わた１Ｂと、から構成されている。
【００３０】
本実施形態において、表地１Ａには、カットパイル生地が用いられている。ただし、表地１Ａの生地は、保温性と、ある程度の通気性および風合いを確保できれば、特に制限はなく、たとえば、カットパイル生地に代えて、パイル生地や、ジャガード編み生地などの生地を使用することもできる。
【００３１】
また、中わた１Ｂには、ポリエステル製の樹脂わたが使用されている。この中わた１Ｂも、保温性と、ある程度の通気性を確保できれば、特に制限はなく、たとえば、ウールや、テンセルわたなどの保温材を単独で使用してもよく、不織布などと複合化または積層化させて使用してもよい。なお、本発明においては、保温材が複数層で形成される場合であっても、３層構造キルトの１層（中間層または中わた層）として扱うものとする。
【００３２】
本実施形態の特徴である裏地１Ｃは、マットレスコア３（およびメッシュカバー２）に隣接する内側面１ｅ（図示下側面）が、起毛加工された滑り防止面になっているとともに、中わた１Ｂに隣接する外側面１ｄ（図示上側面）が、気密加工された通気性調整面になっている。具体的には、本実施形態の裏地１Ｃには、繊維径３３ｄｔｅｘのポリエステル糸で編まれたトリコット生地が用いられており、その内側面１ｅに起毛処理が施され、その外側面１ｄに気密化処理が施されている。
【００３３】
なお、裏地１Ｃに使用する生地に特に制限はなく、起毛加工および気密加工が可能な生地であればよい。たとえば、ポリエステル糸，ナイロン糸，アクリル糸等で編まれた編物生地を使用することができる。
【００３４】
また、起毛加工（起毛処理）としては、たとえば、針布を用いた起毛機を使用して生地表面を起毛させることが可能で、それにより、メッシュカバー２との間の摩擦抵抗を、増加させることができる。さらに、気密加工（気密化処理）としては、たとえば、シレー加工法を使用することが可能で、それにより、ある程度の通気性〔後記のＪＩＳ  Ｌ  １０９６「織物及び編物の生地試験方法」（フラジール形法）に準じた通過空気量が０．５以上２０ｃｍ３／ｃｍ２・秒以下〕を保ったまま、保温性を向上させることができる。
【００３５】
なお、前記気密加工（気密化処理）として、樹脂コーティングを使用することもできる。樹脂コーティングの例として、水系のウレタン樹脂，ポリエステル樹脂，アクリル樹脂等を用いて生地を含浸させたのち、６０〜１２０℃で乾燥させ、乾燥後の樹脂実目付量を１〜５０ｇ／ｍ２としたものや、溶剤系のウレタン樹脂，ポリエステル樹脂等を、フラットスクリーンやロータリースクリーンにより同様の実目付量を生地表面に加工する方法等があげられる。これらの樹脂コーティングを行うことにより、前記シレー加工と同様に、ある程度の通気性（通過空気量が０．５〜２０ｃｍ３／ｃｍ２・秒程度）を保ったまま、同じ様に保温性を向上させることができる。
【００３６】
前記通気性の試験について解説すると、この通気性試験は、ＪＩＳ  Ｌ  １０９６「織物及び編物の生地試験方法」に規定されているもので、所定のフラジール形通気性試験機（図示省略）を用いて行う。
【００３７】
試験は、試験機に試験片を取り付けた後、加減抵抗器によって、傾斜形気圧計が１２５Ｐａ（水柱１．２７ｃｍＨ２Ｏ）の圧力（風速換算で１５ｍ／ｓに相当）を示すように、空気の吸い込みファンを調整し、試験片の表裏両面の圧力差を一定に保つときの「垂直形気圧計」の示す圧力と、使用した空気孔の種類とから、試験片を通過する「通過空気量（ｃｍ３／ｃｍ２・秒）」とを求めるものである。ちなみに、クールビズ対応の衣料に必要な通過空気量は、５０ｃｍ３／ｃｍ２・秒以上とされる。
【００３８】
本実施形態のマットレスカバー１を構成するキルトにおいて、マットレスコア３およびメッシュカバー２に隣接する内側に位置する裏地１Ｃ（外側面１ｄに前述の気密加工済み）は、通常、通過空気量が０．５〜２０ｃｍ３／ｃｍ２・秒、好ましくは通過空気量が１〜１０ｃｍ３／ｃｍ２・秒となるように、生地の種類，編み方（織り方），目付け量（原糸の本数／インチ等）や、前記気密加工の種類や処理法，加工条件等が設定される。
【００３９】
また、就寝者に触れる外側（表側）に位置する表地１Ａは、就寝時の保温性と就寝時の発汗による蒸散や布団内の蒸れとを考慮して、通常、通過空気量が５０〜２００ｃｍ３／ｃｍ２・秒、好ましくは通過空気量が８０〜１５０ｃｍ３／ｃｍ２・秒となるように、生地の種類，編み方（織り方），目付け量（原糸の本数／インチ等）などが選択される。なお、これら表地１Ａと裏地１Ｃの通過空気量比（表地１Ａの通過空気量  ／  裏地１Ｃの通過空気量）は、就寝時の発汗による蒸散や布団内の蒸れ等を考慮して、通常２．５〜４００倍、好ましくは５〜２００倍の範囲に設定することが望ましい。
【００４０】
裏地１Ｃの通過空気量が０．５ｃｍ３／ｃｍ２・秒未満となるような生地構成の場合、生地表面（内側面１ｅ）が緻密過ぎて生地がメッシュカバー２上で滑ってしまい、就寝時の皺の発生の要因となるおそれが高い。逆に、裏地１Ｃの通過空気量が２０ｃｍ３／ｃｍ２・秒を越えるような生地構成の場合、就寝時の皺の発生は抑えられるが、通気性が良すぎて、冬場等におけるマットレス下側（ベッドの下面方向）への熱の逃げを抑えられない（すなわち、マットレスを冷たく感じてしまう）おそれが高い。
【００４１】
以上のような構成の第１実施形態のマットレスカバー１によれば、マットレスコア３およびメッシュカバー２に隣接する、裏地１Ｃの内側面１ｅが、起毛加工された滑り防止面に、中わた１Ｂ（保温材）に隣接する外側面１ｄが、気密加工された裏地１Ｃの通気性調整面になっているため、カバーの重量増を招くことなく、保温性を維持したまま、摩擦係数の低いメッシュカバー２上でも、その滑りを抑えることができる。したがって、就寝中に寝返りを繰り返したとしても、外側のマットレスカバー１が幅方向左右に偏ったり皺が発生したりして、寝心地が悪くなることがない。また、上記カバーを用いたマットレス１０も、同様の効果を奏する。
【００４２】
つぎに、本発明の第２実施形態について説明する。
図３は、第２実施形態のマットレスおよびマットレスカバーの外観斜視図である。なお、図３においては、マットレスコア３を覆うメッシュカバー２の図示を省略している。
【００４３】
この第２実施形態におけるマットレス５に用いられているマットレスカバー４が、第１実施形態のマットレスカバー１と異なる点は、マットレスコア３に対する固定方法である。すなわち、マットレスカバー４は、マットレスカバー１における下面（底面）１２や側面１３，１４，１５，１６がない代わりに、上面（天面）１１の四隅の角部に、カバー固定用のゴムバンド４ｆがそれぞれ配設されている。
【００４４】
各角部のゴムバンド４ｆは、図示しないマットレスコア３の角部の下面を回り込んで繋がっており、その張力により、マットレスカバー４（上面１１）の四隅を、それぞれマットレスコア３の角部上面に引き付けて固定している。
【００４５】
なお、マットレスカバー４は、上面（天面）１１のみが一枚の袋状に縫製されているもので、内部構成は、第１実施形態のマットレスカバー１の上部（図２においては、通気性の高い表地１Ａ、中わた１Ｂ、内側面１ｅが起毛加工され外側面１ｄが気密加工された裏地１Ｃ、に相当する）と同様であり、全体形状がマット状あるいはパッド状ではあるものの、前記マットレスカバー１と同等の作用効果を奏する。
【００４６】
したがって、第２実施形態におけるマットレスカバー４も、重量増を招くことなく、保温性に優れ、就寝時にも皺の発生の少ないマットレスカバーとすることができる。また、上記カバーを用いたマットレス５も、同様の効果を奏することができる。
【００４７】
つぎに、マットレスカバー（１，４）に内包されるマットレスコア３の製法について述べる。
【００４８】
前述のような構成のマットレスコアの製造は、図４，図５に示すようなフィラメント３次元結合体製造装置を用いて行われる。
【００４９】
フィラメント３次元結合体製造装置は、図４に示すように、溶融樹脂供給手段（押出機４０）と、溶融フィラメント（符号ＭＦ）を吐出する溶融フィラメント形成部（ダイ）２０と、水槽３１内に設置されたフィラメント３次元結合体（符号３ＤＦで記載）の搬送経路を含む３次元結合体形成部３０と、これらを統括してフィラメント３次元結合体の出来栄え（仕上がり）を集中的に制御するコンピュータ等の制御手段（図示省略）等と、を備える。
【００５０】
溶融樹脂供給部（押出機４０）は、ホッパー４１（材料投入部）と、スクリュー４２、スクリューモーター４３、シリンダー４４、材料排出部４５、スクリューヒーター４６とを備え、前記ホッパー４１から供給された熱可塑性樹脂が、押出機４０のシリンダー４４内で溶融し、溶融フィラメント形成部（ダイ２０）に向けて、材料排出部４５から溶融樹脂として排出される。
【００５１】
ダイ２０は、複数のノズル（吐出孔２１ａ）が形成された口金板２１と、ダイヒーター２２を備え、前記押出機４０の材料排出部４５からダイ導流路２０ａに供給された溶融樹脂が、前記複数の吐出孔２１ａから鉛直下方に向けて、溶融フィラメントＭＦとして排出される。なお、口金板２１は、複数の円形開口部（吐出孔２１ａ）が形成された略直方体の金属製の厚板であり、ダイ導流路２０ａの最下流部にあたるダイ２０の下部に配設されている。
【００５２】
前記吐出孔２１ａの直径（ノズル径）や、隣接する２つの吐出孔２１ａの距離（ノズルピッチ）を調整することにより、フィラメント３次元結合体の反発力（圧縮時高さ率）を変えることができる。すなわち、ノズル径が小さい程、あるいは、ノズルピッチが大きい程、フィラメント３次元結合体の密度を小さくでき、その結果、反発力や圧縮時高さ率を小さくできる。
【００５３】
また、３次元結合体形成部３０は、冷却水を蓄える水槽３１（水面３１ａ）と、前記溶融フィラメントＭＦが３次元ネット状に絡まり結合したフィラメント３次元結合体を、その３次元（立体）形状と厚みを保ったまま冷却するための無端コンベア３４Ａ，３４Ｂとを備える。
【００５４】
前記口金板２１（複数の吐出孔２１ａ）の直下で、かつ、該無端コンベア３４Ａ，３４Ｂ間の上方にあたる位置には、図５に示すような、溶融フィラメントＭＦの滞留を促す受け板（フィラメントガイド、傾斜状の案内板３２）が設けられており、この案内板３２（傾斜板３２Ａ，３２Ｂ等）の上面で、上側のダイ２０から下方に吐出され自重で鉛直下方に垂下（自然落下）する溶融フィラメントＭＦのうち、３次元結合体３ＤＦの厚み方向外側の複数本が受け止められ、水供給用導管３３から供給される水（水膜）に乗って、中央方向に流し込まれる。
【００５５】
なお、前記案内板（３２Ａ，３２Ｂ等）に乗らない、中央寄りの各フィラメントは、水より比重が軽いため、水槽３１内の水面３１ａ上に浮かんで一旦停止し、その上に続けて吐出されたフィラメントがループ状に順次堆積する。そして、このループ状の堆積により、溶融フィラメントＭＦに「３次元的な絡み」、すなわち不規則でランダムな交差が発生して、フィラメント間に大きな空隙を有する、３次元結合体３ＤＦが形成される。
【００５６】
つぎに、３次元的な絡みを生じた溶融フィラメント（以降、３次元結合体３ＤＦ）は、図４に示すように、無端コンベア３４Ａ，３４Ｂの間に挟みこんで搬送され、その下端から水槽３１内の水中に排出された３次元結合体３ＤＦは、各搬送ローラ３６Ａ〜３６Ｆからなる水槽３１内の搬送経路を通るうちに完全に冷却されて、駆動力を有する搬送ローラ３６Ｇ，３６Ｈにより、前記水槽３１から取り出される。
【００５７】
無端コンベア３４Ａは、駆動ローラ３５Ａと、従動ローラ３５Ｂとを含み、図示しない搬送モーターにより回転駆動されるようになっている。また、無端コンベア３４Ｂも同様、駆動ローラ３５Ｃと、従動ローラ３５Ｄとを含み、図示しない搬送モーターにより回転駆動されるようになっている。
【００５８】
なお、一対の無端コンベア３４Ａ，３４Ｂは、それぞれスラットコンベアで構成されており、３次元結合体３ＤＦの厚みに対応する隙間を空けて配設されている。無端コンベア３４Ａ，３４Ｂの移動速度（３ＤＦの搬送速度）は、溶融フィラメントの落下速度と同等以上になると溶融フィラメントのループが形成されないため、溶融フィラメントの落下速度より遅い速度に設定される。
【００５９】
無端コンベア３４Ａ，３４Ｂの移動速度が遅い程、溶融フィラメントの密度が高くなり、反発力の高い高密度の３次元結合体３ＤＦが形成される。反発力は３次元結合体が使用されるマットレスやクッション等の仕様に応じて決められるが、通常、溶融フィラメントの落下速度に対して５〜２０％程度に設定される。
【００６０】
無端コンベア３４Ａ，３４Ｂとして、搬送面が平滑な搬送部材であれば特に制限はなく、金属メッシュベルトやプラスチックモジュラーチェーンを用いたコンベアなどを用いてもよい。
【００６１】
本発明の実施形態で、３次元結合体３ＤＦの材料として用いることのできる熱可塑性樹脂としては、たとえば、ポリエチレン、ポリプロピレンなどのポリオレフィン系樹脂、ポリエステル系樹脂、ポリアミド系樹脂、ポリ塩化ビニル樹脂およびポリスチレン樹脂や、スチレン系エラストマー、塩ビ系エラストマー、オレフィン系エラストマー、ウレタン系エラストマー、ポリエステル系エラストマー、ニトリル系エラストマー、ポリアミド系エラストマー、フッ素系エラストマー等の熱可塑性エラストマーなどがあげられる。
【００６２】
上記構成により、先に述べた各実施形態のベッド用マットレスコアを、効率良く製造することができる。なお、上記マットレスコア（３）は、この後、メッシュ状のカバー（２）が被せられ、その上に、本発明のマットレスカバー（１，４）をかけて完成する。
【産業上の利用可能性】
【００６３】
本発明のマットレスカバーは、ベッド用マットレスのほか、ソファーベット、カウチベットあるいは、それらに類似するソファー用のクッション材にも用いることができる。
【符号の説明】
【００６４】
１    マットレスカバー
１Ａ  表地
１Ｂ  中わた
１Ｃ  裏地
１ｄ  外側面
１ｅ  内側面
２    メッシュカバー
３    マットレスコア
４    マットレスカバー
４ｆ  ゴムバンド
５    マットレス
１０    マットレス
１１    上面
２０  ダイ
２１  口金板
２１ａ  吐出孔
３０  ３次元結合体形成部
３１  水槽
３２  案内板
３４  無端コンベア
４０  押出機
４４  シリンダー
【図１】
2018075106.tif 000003
【図２】
2018075106.tif 000004
【図３】
2018075106.tif 000005
【図４】
2018075106.tif 000006
【図５】
2018075106.tif 000007
【図６】
2018075106.tif 000008